(57)【要約】【課題】本発明は、ノック部材に対して中芯ホルダを嵌め易く、しかも外れ難くした多芯筆記具を提供する。【解決手段】中芯ホルダ２０には、この後端から中心軸線Ｌ方向に突出する突起部２５が設けられ、突起部２５の遊端側には、中心軸線Ｌに対して略直交する方向に突出して略円柱状をなす一対の軸部２０ａが設けられている。これに対して、ノック部材６の前端側には、中芯ホルダ２０の突起部２５が挿入されるスリット３０が形成され、スリット３０を形成する壁面３０ａには、軸部２０ａが挿入される軸受穴６ａが形成されている。さらに、軸部２０ａには、円柱の頂部の略半分を斜めに切除してなる半円状のテーパー面２６と、直径を境界にしてテーパー面２６に隣接すると共に、円柱の頂部の残り半分をなす非傾斜面２７とが設けられている。【選択図】図８
2010042641.tif 000002
【特許請求の範囲】
【請求項１】
中芯を軸筒の先端から選択的に出没可能な多芯筆記具において、
前記軸筒の中心軸線方向にスライド自在なノック部材と、
前記中芯の周囲に巻回されると共に、前記ノック部材を復帰させる螺旋バネと、
前記ノック部材に対して回動自在に連結され、前記中芯が保持されると共に、前記螺旋バネが係止される中芯ホルダと、を備え、
前記中芯ホルダには、前記中芯ホルダの後端から前記中心軸線方向に突出する突起部が設けられ、前記突起部には、前記中心軸線に対して略直交する方向に突出して略円柱状をなす一対の軸部が設けられ、
前記ノック部材の前端側には、前記中芯ホルダの前記突起部が挿入されるスリットが形成され、前記スリットを形成する壁面には、前記軸部が挿入される軸受穴が設けられ、
前記軸部には、円柱の頂部を斜めに切除してなるテーパー面が設けられ、前記軸部は、前記テーパー面側から前記スリット内に挿入されることを特徴とする多芯筆記具。
【請求項２】
前記中芯ホルダの前記後端に設けられた第１の当接面と、前記ノック部材の前記前端に設けられた第２の当接面とは、前記ノック部材と前記中芯ホルダとを略一直線上に整列させた状態で当接することを特徴とする請求項１記載の多芯筆記具。
【発明の詳細な説明】
【技術分野】
【０００１】
本発明は、軸筒の中心軸線方向にスライド自在なノック部材を備えた多芯筆記具に関するものである。
【背景技術】
【０００２】
従来、このような分野の技術として、実開平５−１２１８５号公報がある。この公報に記載された多芯筆記具は、ノック操作部を摺動させて軸筒の先端から中芯を選択的に出没させることができる。この筆記具には、ノック操作部を復帰させるための螺旋バネが設けられ、この螺旋バネは、中芯の周囲に巻回されるように配置されている。螺旋バネの一端は軸筒に係止され、螺旋バネの他端は、ノック操作部に係止されている。さらに、この筆記具は、シャープペンシル型の中芯を有し、このシャープペンシル型中芯は、シャープ芯の折れを防止するために曲がらないことが好ましい。そこで、ノック操作部とシャープペンシル型中芯とを、ノック操作部に対して回動自在なジョイント部材（中芯ホルダ）で連結させることによって、シャープペンシル型中芯を軸筒内で振り子運動させ、シャープ芯の折れを防止している。
【０００３】
【特許文献１】実開平５−１２１８５号公報
【発明の開示】
【発明が解決しようとする課題】
【０００４】
前述した従来の多芯筆記具において、ジョイント部材には、筆記具の中心軸線に対して直交する方向に軸部から突出する軸支部が設けられ、ノック操作部には、軸支部の嵌め込みを可能にするために、筆記具の中心軸線に対して直交する方向に延在する横溝が設けられている。このようなジョイント構造にあっては、ノック操作部の先端をフック形状にしているので、シェープ芯を補充する為に中芯を強く引き抜くと、横溝が広がり易く、軸支部が外れ易いといった問題点がある。
【０００５】
本発明は、ノック部材に対して中芯ホルダを嵌め易く、しかも外れ難くした多芯筆記具を提供することを目的とする。
【課題を解決するための手段】
【０００６】
本発明は、中芯を軸筒の先端から選択的に出没可能な多芯筆記具において、
軸筒の中心軸線方向にスライド自在なノック部材と、
中芯の周囲に巻回されると共に、ノック部材を復帰させる螺旋バネと、
ノック部材に対して回動自在に連結され、中芯が保持されると共に、螺旋バネが係止される中芯ホルダと、を備え、
中芯ホルダには、中芯ホルダの後端から中心軸線方向に突出する突起部が設けられ、突起部には、中心軸線に対して略直交する方向に突出して略円柱状をなす一対の軸部が設けられ、
ノック部材の前端側には、中芯ホルダの突起部が挿入されるスリットが形成され、スリットを形成する壁面には、軸部が挿入される軸受穴が設けられ、
軸部には、円柱の頂部を斜めに切除してなるテーパー面が設けられ、軸部は、テーパー面側からスリット内に挿入されることを特徴とする。
【０００７】
一般的な多芯筆記具に利用されている中芯は、可撓性を有する樹脂材により形成されているので、ノック部材を押し下げた際に、中芯は軸筒の内面に沿って撓みながら移動する。しかしながら、ボールペン型の金属製中芯やシャープペンシル型中芯を利用する場合、それ自体の撓みを期待することができない。その理由として、ボールペン型の金属製中芯は可撓性を有しないからであり、シャープペンシル型中芯は、鉛芯の折損を回避したいためである。金属製の中芯を利用する理由は、薄肉化を可能にし、短い中芯であってもインクの充填量を樹脂の中芯と同等にすることができるからである。そこで、撓みを許容しない中芯の適用が可能な本発明では、ノック部材と中芯とを中芯ホルダを介して連結し、ノック部材に対して中芯ホルダを回動自在に連結させている。
ノック部材と中芯ホルダとの連結構造において、中芯ホルダに設けられた突起部には、中心軸線に対して略直交する方向に突出して略円柱状をなす一対の軸部が設けられ、ノック部材の前端側には、中芯ホルダの突起部が挿入されるスリットが形成され、スリットを形成する壁面には、軸部が挿入される軸受穴が設けられている。このような構造により、軸受穴内に挿入された軸部を中心に中芯ホルダを回動させることができる。
さらに、軸部には、円柱の頂部を斜めに切除してなるテーパー面が設けられ、軸部は、テーパー面側からスリット内に挿入されるので、ノック部材に対して中芯ホルダを嵌め易く、しかも中芯交換のために中芯を引き抜いても、軸部の周面と軸受穴の壁面とが線接触するので、ノック部材から中芯ホルダが外れ難いといった優れた効果を有する。
【０００８】
また、中芯ホルダの後端に設けられた第１の当接面と、ノック部材の前端に設けられた第２の当接面とは、ノック部材と中芯ホルダとを略一直線上に整列させた状態で当接すると好適である。
中芯ホルダの第１の当接面とノック部材の第２の当接面とを筆記時（ノック部材と中芯ホルダとが略一直線になった状態の時）に当接させているので、筆記時の力をノック部材で確実に受けることができる。従って、筆記中に軸部及び軸受穴に無理な負荷をかけることがないので、軸部及び軸受穴を破損させることがなく、安定した筆記をも可能にしている。軸部及び軸受穴が破損すると、中芯ホルダが脱落し易くなり、ノック部材のスムーズなノック動作に支障をきたす。
【発明の効果】
【０００９】
本発明によれば、ノック部材に対して中芯ホルダを嵌め易く、しかも外れ難くできる。
【発明を実施するための最良の形態】
【００１０】
以下、図面を参照しつつ本発明に係る多芯筆記具の好適な実施形態について詳細に説明する。なお、ペン先側を「前方側」として以下説明する。
【００１１】
図１に示すように、多芯筆記具１は、３色のノック式ボールペンであり、全長１４ｃｍ程度の一般的な筆記具と異なり、全長が約１１ｃｍの小型の筆記具である。この筆記具１の最大の特徴は、筆記具１をわざわざ持ち替えずとも、筆記姿勢を保ったまま親指Ｓでノック操作できる点にある。短い筆記具は、シャツなどのポケットに入れ易く、持ち運びに非常に便利である。
【００１２】
このような筆記具１は、短い中芯２を必要とし、ボールペン型の金属製中芯２が利用されている。この中芯２を利用する理由は、薄肉化を可能にし、短い中芯であってもインクの充填量を樹脂の中芯と略同等にできるからである。
【００１３】
図２〜図４に示すように、このノック式多芯筆記具１は、３本のボールペン型の中芯２と、各中芯２を収容する樹脂製の軸筒４と、軸筒４の中心軸線Ｌ方向にスライド自在な３本のノック部材６とを備えている。
【００１４】
軸筒４は、前軸４Ａと後軸４Ｂとからなり、前軸４Ａの後側に設けられた雌ネジ部４ａと後軸４Ｂの前側から突出するデバイダー３の雄ネジ部３ａとの螺合によって、前軸４Ａは後軸４Ｂに対して着脱自在に連結されている。このように、軸筒４を前軸４Ａと後軸４Ｂとに二分割することで、前軸４Ａを外して中芯２を容易に交換することができ、前軸４Ａと後軸４Ｂの材質を異ならせることもできる。なお、筆記具１の全長を短くするために、前軸４Ａが、後軸４Ｂに対して極端に短くなっている。なお、デバイダー３は、この仕切部３ｂによって螺旋バネ５の互いの干渉を防止するためのものであり、軸筒４の後軸４Ｂに固定されている。
【００１５】
さらに、軸筒４内には、各ノック部材６を復帰させるための３本の螺旋バネ５が収容され、中芯２は螺旋バネ５内に差し込まれている。そして、ノック部材６に復帰力を発生させるために、螺旋バネ５の一端はデバイダー３で係止され、螺旋バネ５の他端は、後述する中芯ホルダ２０内で係止させている。
【００１６】
このような構成の多芯筆記具１では、ノック部材６を指で押し下げることによって、軸筒４の先端開口４ｄから任意の中芯２の先端を突出させることができる。そして、軸筒４から選択的に突出させた中芯２の先端は、他のノック部材６を指で軽く押し下げることにより、螺旋バネ５の付勢力によって軸筒４内に格納することができる。
【００１７】
さらに、各ノック部材６において、ノック本体部７の後端の外側には、指掛け部８が形成され、ノック本体部７の内側には、中心軸線Ｌに向かって突出する突起片９が形成されている。そして、この突起片９の遊端には、断面三角形状の前側合わせ面９ａと後側合わせ面９ｂとが中心軸線Ｌ方向に並設されている。
【００１８】
図３及び図５に示すように、軸筒４には、中心軸線Ｌ方向に延在する３本のスリット１０が形成され、各スリット１０に沿ってそれぞれの突起片９が摺動する。そして、このスリット１０は、左右一対のガイドレール１０ａ，１０ｂとの間に形成され、ガイドレール１０ａ，１０ｂの表面に沿ってノック本体部７が移動する。
【００１９】
さらに、ノック本体部７の後端には、横方向に突出する左右一対の第１のガイド片１１が形成され、左右一対のガイド片１１は、軸筒４の内壁面に形成された凹状の第１のガイド溝１２内に入り込んで摺動する。左右一対の第１のガイド溝１２は、中心軸線Ｌ方向に延在して、ノック部材６を中心軸線Ｌ方向に案内する。
【００２０】
一般的な多芯筆記具に利用されている中芯は、可撓性を有する樹脂材により形成されているので、ノック部材を押し下げた際に、中芯は軸筒の内面に沿って撓みながら移動する。従って、ノック部材の先端に中芯の後端を直接接続することが可能であった。しかしながら、ボールペン型の金属製中芯２を利用する場合、それ自体の撓みを期待することができない。
【００２１】
そこで、図６〜図９に示すように、樹脂製のノック部材６と金属製の中芯２とを樹脂製の中芯ホルダ２０を介して連結している。この中芯ホルダ２０の後端には軸部２０ａが設けられ、ノック部材６の前端側には、軸部２０ａを支持するための凹状の軸受穴６ａが設けられ、軸受穴６ａ内に軸部２０ａを嵌め込むことによって、ノック部材６の先端に中芯ホルダ２０の後端が回動自在に連結される。従って、撓みを期待できない金属製中芯２であってもノック式の筆記具に利用することができる。
【００２２】
さらに、中芯ホルダ２０は、中空状に形成され、中芯ホルダ２０の後側には、中芯２の後端部が圧入される差込み孔２０ｂが設けられ、差込み孔２０ｂの入口側には、螺旋バネ５の端部５ａに当接する係止面２０ｃが形成されている。そして、中芯ホルダ２０に中芯２が装填された状態で、中芯２の周囲に螺旋バネ５が巻回されている。
【００２３】
ノック部材６と中芯ホルダ２０との連結構造について更に詳細に説明する。
【００２４】
中芯ホルダ２０には、この後端から中心軸線Ｌ方向に突出する突起部２５が設けられ、突起部２５の遊端側には、中心軸線Ｌに対して略直交する方向に突出して略円柱状をなす一対の軸部２０ａが設けられている。これに対して、ノック部材６の前端側には、中芯ホルダ２０の突起部２５が挿入されるスリット３０が形成されている。スリット３０は中心軸線Ｌ方向に延在し、スリット３０を形成する壁面３０ａには、軸部２０ａが挿入される軸受穴６ａが形成されている。そして、スリット３０は、ノック部材６の前端側に設けられたＵ字状の平行な支持片３１ａ，３１ｂ間に形成され、支持片３１ａの内壁面は、スリット３０を形成するための壁面３０ａになっている。
【００２５】
軸部２０ａには、図８及び図１２に示すように、円柱の頂部の略半分を斜めに切除してなる半円状のテーパー面２６と、直径を境界にしてテーパー面２６に隣接すると共に、円柱の頂部の残り半分をなす非傾斜面２７とが設けられている。そして、このテーパー面２６は、軸筒４の径方向において外側に位置し、非傾斜面２７は、軸筒４の径方向において内側に位置している。
【００２６】
テーパー面２６は、軸部２０ａが軸受穴６ａ内へ入り込むためのガイドとして機能しているので、左右のテーパー面２６において、スリット３０側の間隔は、スリット３０の間隔Ａより狭く、非傾斜面２７側の間隔は、スリット３０の間隔Ａより広くなっている。
【００２７】
ノック部材６に中芯ホルダ２０を組み付けるにあたって、ノック部材６と中芯ホルダ２０とが略一直線の状態になるように整列させて、矢印Ｂ方向（中心軸線Ｌに対して直交する方向）に突起部２５をスリット３０内に押し込むことで、テーパー面２６をガイドとして、治具無しで、軸受穴６ａ内に軸部２０ａを簡単かつ確実に挿入させることができる。
【００２８】
しかも、中芯２を交換するにあたって、中芯２が図８の矢印Ｃ方向に引き抜かれると、中芯ホルダ２０も追従して矢印Ｃ方向に引っ張られるが、軸部２０ａの周面３２と軸受穴６ａの壁面３３とが面接触するので、ノック部材６から中芯ホルダ２０が外れ難いといった優れた効果を有する。
【００２９】
さらに、図４及び図８に示すように、中芯ホルダ２０の後端に設けられた第１の当接面３４と、ノック部材６の前端に設けられた第２の当接面３５とは、ノック部材６と中芯ホルダ２０とを略一直線上に整列させた状態で当接する。従って、筆記時の力（矢印Ｄ参照）をノック部材６で確実に受けることができ、筆記中に軸部２０ａ及び軸受穴６ａに無理な負荷をかけることがないので、軸部２０ａ及び軸受穴６ａを破損させることがなく、安定した筆記をも可能にしている。軸部２０ａ及び軸受穴６ａが破損すると、中芯ホルダ２０が脱落し易くなり、ノック部材６のスムーズなノック動作に支障をきたす。
【００３０】
図１３及び図１４に示すように、他の例に係る中芯ホルダ３６について説明する。中芯ホルダ３６に設けられた突起部３７の軸部３６ａには、円柱の頂部の略半分を斜めに切除してなる半円状のテーパー面３８と、直径を境界にしてテーパー面３８に隣接すると共に、円柱の頂部の残り半分をなす非傾斜面３９が設けられている。そして、中心軸線Ｌの延在方向において、テーパー面３８は、突起部３７の遊端側に位置し、非傾斜面３９は、突起部３７の基端側に位置している。
【００３１】
この場合も中芯ホルダ２０と同様に、ノック部材６に中芯ホルダ３６を組み付けるにあたって、ノック部材６と中芯ホルダ３６とが略一直線の状態になるように整列させて、矢印Ｅ方向（中心軸線Ｌの方向）に突起部３７をスリット３０内に押し込むことで、テーパー面３８をガイドとして、治具無しで、軸受穴６ａ内に軸部３６ａを簡単かつ確実に挿入させることができる。
【００３２】
しかも、中芯２を交換するにあたって、中芯２が矢印Ｃ方向に引き抜かれると、中芯ホルダ３６も追従して矢印Ｃ方向に引っ張られるが、軸部３６ａの周面４０と軸受穴６ａの壁面３３とが線接触するので、ノック部材６から中芯ホルダ３６が外れ難いといった優れた効果を有する。
【００３３】
このような構成の中芯ホルダ２０，３６が、軸筒４内で何ら規制無く自由に動き得ると、筆記具１の使用時に、隣接する螺旋バネ５同士の噛み込み現象が起きる虞もある。特に、中芯２を交換するにあたって、中芯２の抜かれた状態の螺旋バネ５は、ノック部材６をいわゆる空打ちすると非常に撓み易いので、前述したような噛み込み現象が起きやすい。
【００３４】
そこで、中芯ホルダ２０を例にして説明すると、図６及び図１０に示すように、中芯ホルダ２０の前側は、係止面２０ｃより前方に位置するバネ包囲部２０ｅと、このバネ包囲部２０ｅから横方向（径方向）に突出したガイド片２０ｄとからなり、軸筒４の内壁面には、左右一対のガイド片２０ｄが挿入される凹状の第２のガイド溝２２が設けられている。左右一対の第２のガイド溝２２は、軸筒４の内壁面に沿って中心軸線Ｌ方向に延在し、各ガイド片２０ｄも中心軸線Ｌ方向に延在する。そして、第２のガイド溝２２内にガイド片２０ｄが挿入され、中芯ホルダ２０を軸筒４内で中心軸線Ｌ方向に確実に案内している。
【００３５】
このように、中芯ホルダ２０は、ガイド片２０ｄと第２のガイド溝２２との協働によって、軸筒４内で径方向の動きを規制することができるので、螺旋バネ５同士が、軸筒４内で噛み込み現象を起こす虞がない。特に、中芯２を交換するにあたって、中芯２の抜かれた状態の螺旋バネ５は、非常に撓み易くなっているが、ノック部材６をいわゆる空打ちした場合でも、螺旋バネ５同士の噛み込み現象が起き難いといった優れた効果を有する。
【００３６】
図３及び図１１に示すように、ガイド片２０ｄの先端は、中芯ホルダ２０の前進中に第２のガイド溝２２から外れる。このような構成を採用すると、ノック部材６の後端がガイドレール１０ａ，１０ｂの先端に係止させられている状態、すなわち、中芯２の先端が軸筒４の先端から突出している状態で、ノック部材６と中芯ホルダ２０とで「く」の字状を呈し易く、これによって、中芯２を無理に撓ませることが必要なく、中芯２の曲がり変形を確実に防止することができる。
【００３７】
本発明は、前述した実施形態に限定されないことは言うまでもない。例えば、本発明は、金属製の中芯に限らず、樹脂製の中芯にも適用可能であり、シャープペンシル型の中芯にも適用可能である。
【図面の簡単な説明】
【００３８】
【図１】本発明に係る多芯筆記具の使用状態を示す斜視図である。
【図２】本発明に係る多芯筆記具の部分的に切り欠かれた斜視図である。
【図３】本発明に係る多芯筆記具の部分的に切り欠かれた正面図である。
【図４】本発明に係る多芯筆記具の縦断面図である。
【図５】図２のＶ−Ｖ線に沿う断面図である。
【図６】ノック部材と中芯ホルダとの連結前の状態を示す斜視図である。
【図７】ノック部材と中芯ホルダとの連結後の状態を示す斜視図である。
【図８】ノック部材及び中芯ホルダの要部拡大斜視図である。
【図９】中芯ホルダの縦断面図である。
【図１０】図２のＸ−Ｘ線に沿う断面図である。
【図１１】図２からノック部材を外した状態を示す斜視図である。
【図１２】図８のＸII−ＸII線に沿う断面図である。
【図１３】他の中空ホルダを示す斜視図である。
【図１４】図１３のＸIV−ＸIV線に沿う断面図である。
【符号の説明】
【００３９】
１…多芯筆記具、２…中芯、４…軸筒、５…螺旋バネ、６…ノック部材、６ａ…軸受穴、２０，３６…中芯ホルダ、２０ａ，３６ａ…軸部、２５…突起部、２６，３８…テーパー面、３０…スリット、３０ａ…壁面、３４…第１の当接面、３５…第２の当接面、Ｌ…中心軸線。
【図１】
2010042641.tif 000003
【図２】
2010042641.tif 000004
【図３】
2010042641.tif 000005
【図４】
2010042641.tif 000006
【図５】
2010042641.tif 000007
【図６】
2010042641.tif 000008
【図７】
2010042641.tif 000009
【図８】
2010042641.tif 000010
【図９】
2010042641.tif 000011
【図１０】
2010042641.tif 000012
【図１１】
2010042641.tif 000013
【図１２】
2010042641.tif 000014
【図１３】
2010042641.tif 000015
【図１４】
2010042641.tif 000016